(57)【要約】【課題】機器本体から離れた操作者による視聴の容易さを向上させる。【解決手段】情報処理機器は映像および音声情報を出力する出力部１１，１４と、出力部１１，１４により出力すべき映像および音声情報を処理する処理回路１２，１３，１５−２０とを備え、処理回路１５−２０はコマンドを入力するキー操作部１２と、リモコンで入力されるコマンドを検出するリモコン受光部１３と、キー操作部１２およびリモコン受光部１３から得られるコマンドに基づいて出力部１１，１４を制御する制御部１５−１７とを含む。制御部１５−１７はコマンド入力がキー操作部１２およびリモコンＲＭのどちらで行われたかを確認し、コマンド入力がリモコンＲＭで行われた場合に出力部１１，１４の出力状態を出力部１１，１４から離れた場所に居る操作者向けに変更するように構成される。【選択図】      図２
2009181488.tif 000002
【特許請求の範囲】
【請求項１】
映像および音声情報を出力する出力部と、前記出力部により出力すべき映像および音声情報を処理する処理回路とを備え、前記処理回路はコマンドを入力するキー操作部と、リモコンで入力されるコマンドを検出する検出部と、前記キー操作部および前記検出部から得られるコマンドに基づいて前記出力部を制御する制御部とを含み、前記制御部はコマンド入力が前記キー操作部および前記リモコンのどちらで行われたかを確認し、前記コマンド入力が前記リモコンで行われた場合に前記出力部の出力状態を前記出力部から離れた場所に居る操作者向けに変更するように構成されることを特徴とする情報処理機器。
【請求項２】
前記制御部は前記出力部の出力状態として文字サイズを変更することを特徴とする請求項１に記載の情報処理機器。
【請求項３】
前記制御部は前記出力部の出力状態として音量を変更することを特徴とする請求項１に記載の情報処理機器。
【請求項４】
前記制御部は前記出力部の出力状態として輝度を変更することを特徴とする請求項１に記載の情報処理機器。
【請求項５】
前記制御部は前記出力部の出力状態としてコントラストを変更することを特徴とする請求項１に記載の情報処理機器。
【請求項６】
映像および音声情報を出力する出力部と、前記出力部により出力すべき映像および音声情報を処理する処理回路とを備え、前記処理回路がコマンドを入力するキー操作部と、リモコンで入力されるコマンドを検出する検出部と、前記キー操作部および前記検出部の出力信号に基づいて前記出力部を制御する制御部とを含む情報処理機器の制御方法であって、コマンド入力が前記キー操作部および前記リモコンのどちらで行われたかを確認し、前記コマンド入力が前記リモコンで行われた場合に前記出力部の出力状態を前記出力部から離れた場所に居る操作者向けに変更することを特徴とする制御方法。
【請求項７】
前記出力部の出力状態として文字サイズを変更することを特徴とする請求項６に記載の制御方法。
【請求項８】
前記出力部の出力状態として音量を変更することを特徴とする請求項６に記載の制御方法。
【請求項９】
前記出力部の出力状態として輝度を変更することを特徴とする請求項６に記載の制御方法。
【請求項１０】
前記出力部の出力状態としてコントラストを変更することを特徴とする請求項６に記載の制御方法。
【発明の詳細な説明】
【技術分野】
【０００１】
本発明は、キー操作部や外部のリモコンにより入力されるコマンドに従って映像や音声情報を処理する情報処理機器およびその制御方法に関する。
【背景技術】
【０００２】
近年では、映像ディスプレイを備えた携帯オーディオプレーヤが普及しつつある。この携帯オーディオプレーヤは、映画や音楽コンテンツを再生したりテレビ放送を受信したりできる情報処理機器である。
【０００３】
このオーディオプレーヤはリモコンや本体のキー操作部を利用して入力される様々なコマンドにより制御される。具体例として、例えばメニューコマンドを入力した場合には、メニュー画面が映像ディスプレイに表示される。音量増大コマンドを入力した場合には、音量の値が映像ディスプレイに表示される。字幕コマンドを入力した場合には、映像ディスプレイに字幕が表示される。また、コマンド入力毎に操作確認音が出力されたりもする。
【０００４】
とろこで、リモコンはオーディオプレーヤにワイヤレス接続されるため、オーディオプレーヤから離れた場所でもリモコンで入力されたコマンドに対応する動作をオーディオプレーヤに行わせることができる。この際、オーディオプレーヤのユーザ、すなわち操作者は表示文字や操作確認音が小さいと感じることがある。従来、情報表示装置（映像ディスプレイ）からリモコンまでの距離を測定して表示文字のサイズを最適化する技術が知られる（例えば、特許文献１を参照）。
【特許文献１】特開２００４−２８７１６８号公報
【発明の開示】
【発明が解決しようとする課題】
【０００５】
しかしながら、特許文献１の情報表示装置は操作者の位置を把握するために距離の測定を必要とすることから、これがコストの増大となる。加えて、特許文献１は距離の測定によらずに操作者の位置を把握することを提案していない。
【０００６】
本発明の目的は、機器本体から離れた操作者による視聴の容易さを向上できる情報処理機器およびその制御方法を提供することにある。
【課題を解決するための手段】
【０００７】
本発明の第1観点によれば、映像および音声情報を出力する出力部と、出力部により出力すべき映像および音声情報を処理する処理回路とを備え、処理回路はコマンドを入力するキー操作部と、リモコンで入力されるコマンドを検出する検出部と、キー操作部および検出部から得られるコマンドに基づいて出力部を制御する制御部とを含み、制御部はコマンド入力がキー操作部およびリモコンのどちらで行われたかを確認し、コマンド入力がリモコンで行われた場合に出力部の出力状態を出力部から離れた場所に居る操作者向けに変更するように構成される情報処理機器が提供される。
【０００８】
本発明の第２観点によれば、映像および音声情報を出力する出力部と、出力部により出力すべき映像および音声情報を処理する処理回路とを備え、処理回路がコマンドを入力するキー操作部と、リモコンで入力されるコマンドを検出する検出部と、キー操作部および検出部の出力信号に基づいて出力部を制御する制御部とを含む情報処理機器の制御方法であって、コマンド入力がキー操作部およびリモコンのどちらで行われたかを確認し、コマンド入力がリモコンで行われた場合に出力部の出力状態を出力部から離れた場所に居る操作者向けに変更することを特徴とする制御方法が提供される。
【発明の効果】
【０００９】
これら情報処理機器およびその制御方法では、コマンド入力がキー操作部およびリモコンのどちらで行われたか確認され、コマンド入力がリモコンで行われた場合に出力部の出力状態が出力部から離れた場所に居る操作者向けに変更される。ここでは、操作者がリモコンでコマンド入力を行ったこと自体が出力部から離れた場所に居るという判断の基準とされる。この判断により表示サイズや音量のような出力状態を出力部から離れた場所に居る操作者向けに変更した場合には、操作者による視聴の容易さを向上できる。操作者が出力部の近くに居たとしても、機器本体のキー操作部でコマンド入力を行うことができるため、出力状態の変更による不都合は生じない。
【発明を実施するための最良の形態】
【００１０】
以下、本発明の第１実施形態に係る携帯オーディオプレーヤについて添付図面を参照して説明する。
【００１１】
図１はこの携帯オーディオプレーヤＧＢの外観を示し、図２は携帯オーディオプレーヤＧＢの回路構成を概略的に示す。携帯オーディオプレーヤＧＢは、図１に示すように、絵や文字等の静止画や動画の映像情報を表示する映像ディスプレイとして設けられる表示部１１、ユーザである操作者のキー操作により様々なコマンドを入力するキー操作部１２、外部のリモコンＲＭからの赤外線信号を受光するリモコン受光部１３、および音楽や操作確認音等の音声情報を出力するスピーカ部１４を備える。ここで、表示部１１およびキー操作部１２は映像情報および音声情報の出力部を構成する。キー操作部１２は例えば通常動作状態および待機動作状態を切換えるための電源キー１２Ａ、上下左右方向へカーソルを移動させるためのカーソル移動キー１２Ｂ、項目を選定するための決定キー１２Ｃ、メニュー画面を表示させるためのメニューキー１２Ｄ、コンテンツの再生および停止を行うための再生キー１２Ｅ、受信チャネルを変更するためのチャネルアップダウンキー１２Ｆ、および音量を変更するための音量アップダウンキー１２Ｇを含む。リモコン１２は、様々なコマンドを入力するために携帯オーディオプレーヤＧＢ本体の操作部１２と同様な複数のキーで構成される操作部１２ＲＭを含み、例えば赤外線を利用してワイヤレス接続される携帯オーディオプレーヤＧＢを遠隔操作するために用いられる。具体的には、操作者により行われた操作部１２ＲＭのキー操作が赤外線信号の形式で携帯オーディオプレーヤＧＢに送信される。リモコン受光部１３は操作部１２ＲＭのキー操作により入力されたコマンドをこの赤外線信号から検出する検出部として用いられる。ちなみに、電源キー１２Ａ、メニューキー１２Ｄ、再生キー１２Ｅ、アップダウンキー１２Ｆ、アップダウンキー１２Ｇ、は単独でコマンド入力を行うものであるが、カーソル移動キー１２Ｂおよび決定キー１２Ｃはこれらの操作の組み合せによりコマンド入力を行うものである。
【００１２】
携帯オーディオプレーヤＧＢはさらに全体の動作を制御するＣＰＵ１５、ＣＰＵ１５の制御プログラムおよび初期設定データ等を保持するＲＯＭ１６、ＣＰＵ１５の入出力データを一時的に保存するＲＡＭ１７、映画や音楽コンテンツを保存するハードディスクやメモリカードのような不揮発性の大容量メモリ部１８、外部コンピュータや外部ディスプレイを接続するための外部入出力インタフェース１９、テレビ放送を受信するテレビ受信部２０、上述のコンポーネンツ１１−２０へ通常動作電圧および待機動作電圧を選択的に供給する電源回路２１、および電源回路２１の制御により充放電されるバッテリ２２を備える。電源回路２１は、動作商用電源からの交流電圧を電源回路２１に適した直流電圧に変換するＡＣアダプタ２３に接続可能であり、バッテリ２２はＡＣアダプタ２３の接続時に充電される。ＣＰＵ１５、ＲＯＭ１６、ＲＡＭ１７、大容量メモリ部１８、入出力インタフェース１９、テレビ受信部２０、キー操作部１２、およびリモコン受光部１３は表示部１１で表示すべき映像情報およびスピーカ部１４で出力すべき音声情報を処理する処理回路を構成する。この処理回路において、ＣＰＵ１５、ＲＯＭ１６、およびＲＡＭ１７はキー操作部１２およびリモコン受光部１３の出力信号に基づいて出力部、すなわち表示部１１およびスピーカ部１４を制御する制御部を構成する。
【００１３】
図３は携帯オーディオプレーヤＧＢ本体のキー操作部１２の操作によりメニューコマンドを入力した場合に得られる出力状態を示す。この場合、メニュー画面の表示および操作確認音が携帯オーディオプレーヤＧＢに近い操作者向けに行われる。メニュー画面は文字サイズ(表示サイズ)＝「小」，輝度＝「低」，コントラスト＝「低」で表示部１１に表示され、操作確認音は音量＝「小」でスピーカ部１４から出力される。
【００１４】
図４はリモコンＲＭのキー操作部１２ＲＭの操作によりメニューコマンドを入力した場合に得られる出力状態を示す。この場合、メニュー画面の表示および操作確認音が携帯オーディオプレーヤＧＢに近い操作者向けに行われる。メニュー画面は文字サイズ(表示サイズ)＝「大」，輝度＝「高」，コントラスト＝「高」で表示部１１に表示され、操作確認音は音量＝「大」でスピーカ部１４から出力される。
【００１５】
図５はＣＰＵ１５の制御動作を示す。ＣＰＵ１５は電源回路２１から供給される通常または待機動作電圧により制御プログラムを実行する動作を行う。この動作が開始されると、ＣＰＵ１５がステップＳ１で初期設定データに基づいてコンポーネンツ１１−２０を初期化する。ステップＳ２では、キー操作部１２またはキー操作部１２ＲＭで行われたコマンド入力があるかチェックされる。コマンド入力が確認されると、ステップＳ３でコマンド処理が行われ、続いてステップＳ２が再び実行される。コマンド入力が確認されなければ、ステップＳ４で外部ディスプレイやコンピュータのような外部機器が接続されたかチェックされる。外部機器が接続されたことが確認されると、ステップＳ５で外部機器の設定が行われる。例えば外部ディスプレイが接続された場合には、この外部機器の設定においてこの外部ディスプレイの仕様を取得し、この仕様に適合する範囲で標準的な輝度、コントラスト、文字サイズ(表示サイズ)、音量等が設定される。コンピュータが接続された場合には、この外部機器の設定において大容量メモリ部１８をコンピュータによりアクセス可能にする設定が行われ、続いてステップＳ２が再び実行される。また、ステップＳ４で外部機器が接続されたことが確認されなければ、他の処理がステップＳ６で行われ、続いてステップＳ２が再び実行される。
【００１６】
図６は図５に示すコマンド処理を詳細に示す。このコマンド処理が開始されると、ステップＳ２で確認されたコマンド入力がリモコンＲＭによるコマンド入力かステップＳ１１でチェックされる。コマンド入力がキー操作部１２で行われたことが確認されれば、リモコンＲＭによるコマンド入力であるとステップＳ１１で判断されて、ステップＳ１２〜Ｓ１５が実行される。すなわち、表示パラメータの文字サイズ（表示サイズ）がステップＳ１２で「小」に設定され、表示パラメータの輝度がステップＳ１３で「低」に設定され、表示パラメータのコントラストがステップＳ１４で「低」に設定され、音声パラメータの音量がステップＳ１５で「小」に設定される。ステップ１５の実行後、コマンドがステップＳ１６で実行される。この場合、表示部１１の表示出力およびスピーカ部１４の音声出力はステップＳ１２〜Ｓ１５の設定により図３に示すような状態で行われる。コマンド処理はステップ１６の実行後に終了する。
【００１７】
他方、コマンド入力がリモコン受光部１３により検出されたことが確認されれば、リモコンＲＭによるコマンド入力であるとステップＳ１１で判断されて、ステップＳ１７〜Ｓ２０が実行される。すなわち、表示パラメータの文字サイズ（表示サイズ）がステップＳ１７で「大」に設定され、表示パラメータの輝度がステップＳ１８で「高」に設定され、表示パラメータのコントラストがステップＳ１９で「高」に設定され、音声パラメータの音量がステップＳ２０で「大」に設定される。ステップＳ２０の実行後、コマンドがステップＳ１６で実行される。この場合、表示部１１の表示出力およびスピーカ部１４の音声出力はステップＳ１７〜Ｓ２０の設定により図４に示すような状態で行われる。コマンド処理はステップ１６の実行後に終了する。
【００１８】
具体例として、メニューコマンドがメニューキー１２Ｄの操作により入力された場合には、メニューコマンドの実行により得られるメニュー画面が図３または図４に示す状態で表示部１１に表示される。
【００１９】
メニュー画面には、選択肢として設けられたメニュー項目を選択するためのカーソルも表示される。カーソル移動キー１２Ｂの操作によりカーソルを下に移動させて次のメニュー項目「番組表」を指示させ、このメニュー項目「番組表」を決定キー１２Ｃの操作により選定すると、これにより番組表コマンドが入力される。この場合、番組表コマンドの実行により得られる番組表画面が表示部に表示される。また、カーソル移動キー１２Ｂの操作によりカーソルをさらに下に移動させてメニュー項目「字幕」を指示させ、このメニュー項目「字幕」を決定キー１２Ｃの操作により選定すると、これにより字幕コマンドが入力される。この場合、字幕コマンドの実行により得られる字幕画面が表示部に表示される。尚、操作確認音はそれぞれのコマンド入力毎に図３または図４に示す状態で出力される。
【００２０】
本実施形態では、コマンド入力がキー操作部１２およびリモコンＲＭのどちらで行われたか確認され、コマンド入力がリモコンＲＭで行われた場合に出力部（表示部１１およびスピーカ部１４）の出力状態がこの出力部から離れた場所に居る操作者向けに変更される。ここでは、操作者がリモコンＲＭでコマンド入力を行ったこと自体が出力部から離れた場所に居るという判断の基準とされる。この判断により文字サイズや音量のような出力状態を出力部から離れた場所に居る操作者向けに変更した場合には、操作者による視聴の容易さを向上できる。操作者が出力部の近くに居たとしても、機器本体のキー操作部１２でコマンド入力を行うことができるため、出力状態の変更による不都合は生じない。
【００２１】
尚、本発明は上述の実施形態に限定されず、その要旨を逸脱しない範囲で様々に変形可能である。
【００２２】
図７は外部入出力インタフェース１９を利用して大型の外部ディスプレイＤＰを携帯オーディオプレーヤＧＢに接続した例を示す。携帯オーディオプレーヤＧＢはこのような外部ディスプレイＤＰの接続状態で全ての表示文字および操作確認音を常に外部ディスプレイＤＰから出力させるように構成することも可能である。図５のステップＳ５で行われる標準設定は、遠くに居る操作者でも表示文字や操作確認音の視聴に対して障害とならないようなものである。従って、外部ディスプレイＤＰを表示文字や操作確認音の出力に利用する場合、図６に示すコマンド処理は例えば図８に示すように変形される。すなわち、この変形例のコマンド処理では、ステップＳ１１に先立って、外部ディスプレイＤＰがあるかステップＳ３０でチェックされ、この外部ディスプレイＤＰがあることが確認された場合に表示文字のサイズや操作確認音の音量設定のような出力部(表示部１１およびスピーカ部１４)の出力状態の設定変更を省略してステップＳ１６が実行される。外部ディスプレイＤＰを表示文字や操作確認音の出力に利用する場合には、このような省略を行っても、遠くに居る操作者がこれらを容易に視聴できる。
【００２３】
また、携帯オーディオプレーヤＧＢは携帯オーディオプレーヤＧＢおよび外部ディスプレイＤＰの一方を選択して、選択された一方から表示文字や操作確認音の出力を行うように構成することも可能である。この場合には、図５のステップＳ５で行われる外部機器の設定で携帯オーディオプレーヤＧＢおよび外部ディスプレイＤＰのどちらか一方を予め選定し、メニュー画面の設定メニューでこの設定を任意に変更することになる。これに伴い、図６に示すコマンド処理は例えば図８に示すように変形される。すなわち、この変形例のコマンド処理では、ステップＳ１１に先立って、外部ディスプレイＤＰがあるかステップＳ３０でチェックされ、この外部ディスプレイＤＰがあることが確認された場合にステップＳ３１でコマンド実行結果、すなわち表示文字や操作確認音の出力は携帯オーディオプレーヤＧＢ本体かチェックされる。コマンド実行結果の出力が携帯オーディオプレーヤＧＢ本体で行われることが確認されると、ステップＳ１１が実行される。他方、コマンド実行結果の出力が外部ディスプレイＤＰで行われることが確認されると、ステップＳ１６が表示文字の文字サイズや操作確認音の音量設定のような出力部の出力状態の設定変更を省略して実行される。
【００２４】
このような構成であれば、携帯オーディオプレーヤＧＢおよび外部ディスプレイＤＰの一方を選択的に利用して表示文字や操作確認音を出力することができる。さらに、外部ディスプレイＤＰを表示文字や操作確認音の出力に利用する場合には、上述の省略を行っても、遠くに居る操作者がこれらを容易に視聴できる。
【００２５】
ちなみに、上述の実施形態では、表示文字および操作確認音の両方がコマンドの実行結果として出力されたが、操作確認音だけ出力したり表示文字だけ出力したりさせる設定を例えば設定メニューを利用して行うことも可能である。さらに文字サイズ、輝度、コントラスト、音量、その他の出力状態のうち携帯オーディオプレーヤＧＢから離れた場所に居る操作者向けに変更すべき項目を例えば設定メニューを利用して選択的に設定してもよい。
【００２６】
加えて、携帯オーディオプレーヤＧＢは、例えばメニュー画面において所望のメニュー項目を指示する位置にカーソルを移動させるようにカーソル移動キー１２Ｂを操作し、このメニュー項目を選定するために決定キー１２Ｃを操作するようなキー操作の組み合せで入力されるコマンドを多数有するが、上述のコマンド処理はコマンド入力の完了まで実行されない。そこで、キー操作毎にキー操作部１２およびリモコンＲＭのうちのどちらで行われたかを確認して、このキー操作がリモコンＲＭで行われた場合に出力部の出力状態を出力部から離れた場所に居る操作者向けに変更するように構成してもよい。この場合、ＣＰＵ１５への負荷を考慮してキー操作毎の確認をカーソル移動キー１２Ｂのような特定キーだけに制限し、このキー操作毎の確認とコマンド入力毎の確認とを並行して行うようにしてもよい。ここで、メニュー画面に表示されたメニュー項目の選定はコマンドの入力として取り扱われる。このメニュー項目の選定に伴ってサブメニュー画面を表示する場合には、このサブメニュー項目の選定も独立なコマンドの入力として取り扱われる。
【００２７】
また、本発明は上述した携帯オーディオプレーヤＧＢだけでなく、例えば映像ディスプレイ備えた携帯型のＤＶＤプレーヤのような情報処理機器に適用することもできる。
【００２８】
尚、図１に示す表示部１１は例えば液晶パネルや有機ＥＬパネル等で構成される映像ディスプレイであるが、透明なタブレットを液晶パネルや有機ＥＬパネルと一体化させたタッチパネル式の映像ディスプレイであってもよい。また、この場合には、液晶パネルや有機ＥＬパネルにコマンド入力を補助するために表示されるキーのキー操作をタブレットで検出するように構成してもよい。
【図面の簡単な説明】
【００２９】
【図１】本発明の一実施形態に係る携帯オーディオプレーヤの外観を示す図である。
【図２】図１に示す携帯オーディオプレーヤの回路構成を概略的に示す図である。
【図３】図１に示す携帯オーディオプレーヤ本体のキー操作部の操作によりメニューコマンドを入力した場合に得られる出力状態を示す図である。
【図４】図１に示すリモコンのキー操作部の操作によりメニューコマンドを入力した場合に得られる出力状態を示す図である。
【図５】図２に示すＣＰＵの制御動作を示すフローチャートである。
【図６】図５に示すコマンド処理を詳細に示すフローチャートである。
【図７】図２に示す外部入出力インタフェースを利用して大型の外部ディスプレイを携帯オーディオプレーヤに接続した例を示す図である。
【図８】図７に示すように接続された外部ディスプレイによって常に表示文字や操作確認音を出力させる場合に適用されるコマンド処理を示すフローチャートである。
【図９】図７に示すように接続された外部ディスプレイによって選択的に表示文字や操作確認音を出力する場合に適用されるコマンド処理を示すフローチャートである。
【符号の説明】
【００３０】
１１…表示部、１２，１２Ｒ…キー操作部、１３…リモコン受光部、１４…スピーカ部、１５…ＣＰＵ、１６…ＲＯＭ、１７…ＲＡＭ、ＧＢ…携帯オーディオプレーヤ、ＲＭ…リモコン。
【図１】
2009181488.tif 000003
【図２】
2009181488.tif 000004
【図３】
2009181488.tif 000005
【図４】
2009181488.tif 000006
【図５】
2009181488.tif 000007
【図６】
2009181488.tif 000008
【図７】
2009181488.tif 000009
【図８】
2009181488.tif 000010
【図９】
2009181488.tif 000011